(57)【要約】【課題】  カード処理装置において、部品点数を削減し、構造を簡素化する。【解決手段】  長辺３ｂがカード挿入口８に挿入されたカード３は、そのままの姿勢でカード搬送路１０内を自重によって落下し、支承部１３ａによって支承された状態でカード３のデータが処理される。データ処理後、押圧部材２４を矢印Ｃ方向に移動させることにより、押圧部２４がカード３の長辺３ｂの上端部を矢印Ｃ方向に押圧する。カード３の長辺３ｂの下端部が係止部材１９の係止部１９ａに係止されることにより、カード３は時計方向に反転し、係止部材１９の傾斜面１９ｂに沿ってカード排出口１８側に移動する。支承部１３ａによる支承を解除することにより、カード３はカード収納箱２内に収納される。【選択図】  図４
2010073131.tif 000002
【特許請求の範囲】
【請求項１】
長方形に形成されたカードの長辺が挿入されるカード挿入口と、このカード挿入口から挿入された姿勢のままカードを自重によって落下させるカード搬送路と、このカード搬送路を落下するカードを支承する支承部材と、この支承部材によって支承されたカードに記録されているデータを処理するデータ処理手段と、前記カード搬送路の側方に設けられ前記支承部材によって支承されているカードを排出するカード排出口と、このカード排出口へカードを移動させるカード排出手段とを備え、
前記支承部材によって支承されたカードの前記カード排出口側の長辺の下端部を係止する係止部材を設け、
前記カード排出手段を、前記支承部材によって支承されたカードの長辺を前記カード排出口側に押圧しカードを前記係止部材を反転中心として前記カード排出口側に９０°反転させる押圧部材と、この押圧部材を駆動する駆動手段とによって構成したことを特徴とするカード処理装置。
【請求項２】
前記係止部材の上部に前記カード排出口側に向かって下方に傾斜する傾斜面を設けたことを特徴とする請求項１記載のカード処理装置。
【請求項３】
前記支承部材を前記カード搬送路に対して進退自在に支持し、当該支承部材の下方にカードを収納するカード収納部を設けたことを特徴とする請求項１または２記載のカード処理装置。
【発明の詳細な説明】
【技術分野】
【０００１】
本発明は、装置内に取り込んだカードに記録されたデータを処理した後に装置外に排出するカード処理装置に関するものである。
【背景技術】
【０００２】
従来のカード処理装置としては、カード挿入口に連通されたカード挿入路と、このカード挿入路に挿入されたカードに追従して移動する移動部材と、この移動部材をカード挿入口方向に付勢するカード返却用付勢手段と、このカード返却用付勢手段の付勢力に抗して前記移動部材が所定位置まで移動することによりこの移動部材のカード挿入口方向への復帰を係止する係止部材と、前記移動部材が所定位置まで移動することにより前記カード挿入口を閉じるシャッタと、前記係止部材による係止を解除するとともに前記カード挿入口を開放するようにシャッタを作動させる操作レバーとを備えたものがある（例えば、特許文献１参照）。
【特許文献１】特開２００７−３４５９４号公報
【発明の開示】
【発明が解決しようとする課題】
【０００３】
上述した従来のカード処理装置においては、カード挿入口から挿入されたカードをデータ処理手段まで取り込むために、挿入されたカードに追従して移動する移動部材や所定位置まで移動した移動部材を係止する係止部材が必要になる。また、取り込まれたカードがデータ処理中に故意または誤って抜き取られないようにするためのシャッタも必要になる。さらに、データ処理後のカードを再びカード挿入口から排出するために、カード返却用付勢手段や係止部材による係止を解除するとともにカード挿入口を開放するようにシャッタを作動させる操作レバーも必要としていた。このため、部品点数が増加するだけではなく、構造も複雑化するという問題があった。
【０００４】
本発明は上記した従来の問題に鑑みなされたものであり、その目的とするところは、部品点数を削減し、構造を簡素化したカード処理装置を提供するところにある。
【課題を解決するための手段】
【０００５】
この目的を達成するために、本発明は、長方形に形成されたカードの長辺が挿入されるカード挿入口と、このカード挿入口から挿入された姿勢のままカードを自重によって落下させるカード搬送路と、このカード搬送路を落下するカードを支承する支承部材と、この支承部材によって支承されたカードに記録されているデータを処理するデータ処理手段と、前記カード搬送路の側方に設けられ前記支承部材によって支承されているカードを排出するカード排出口と、このカード排出口へカードを移動させるカード排出手段とを備え、前記支承部材によって支承されたカードの前記カード排出口側の長辺の下端部を係止する係止部材を設け、前記カード排出手段を、前記支承部材によって支承されたカードの長辺を前記カード排出口側に押圧しカードを前記係止部材を反転中心として前記カード排出口側に９０°反転させる押圧部材と、この押圧部材を駆動する駆動手段とによって構成したものである。
【０００６】
本発明は、前記発明において、前記係止部材の上部に前記カード排出口側に向かって下方に傾斜する傾斜面を設けたものである。
【０００７】
本発明は、前記発明のいずれか一つの発明において、前記支承部材を前記カード搬送路に対して進退自在に支持し、当該支承部材の下方にカードを収納するカード収納部を設けたものである。
【発明の効果】
【０００８】
本発明によれば、カード挿入口から挿入されたカードは自重によってデータ処理手段によって処理される位置まで落下するため、カードを搬送させるための搬送手段が不要になる。また、データ処理手段による処理が終了したカードをカード挿入口へ戻すためのカード返却用付勢手段やこれを作動させるための部材も不要になる。さらに、データ処理後にカードを排出する際は、カードを９０°反転させて短辺側をカード排出口に臨ませるようにしたので、データの処理中は、カード排出口からカードまでの距離を長くすることができる。このため、データ処理中にカード排出口からカードが抜き取られることがないから、カードの抜き取りを規制するシャッタが不要になる。したがって、部品点数を削減することができ、構造も簡素化することができる。
【０００９】
前記発明のうちの一つの発明によれば、カード排出手段によって反転させたカードを係止部材の傾斜面に沿ってカード排出口側に移動させるため、カード排出口からカードを確実に取り出すことができる。
【００１０】
前記発明のうちの一つの発明によれば、使用不能カードや使用済みカード等をカード収納部に収納することができる。
【発明を実施するための最良の形態】
【００１１】
以下、本発明の実施の形態を図に基づいて説明する。図１は本発明に係るカード処理装置を示し、同図（Ａ）は側面図、同図（Ｂ）は正面図、図２ないし図４は図１（Ｂ）におけるII-II 線断面図であって、図２はカード挿入口からカードを挿入した直後の状態を示し、図３はカードをデータ処理手段によって処理している状態を示す、図４はカードを返却している状態を示している。図５は図１（Ａ）におけるV-V 線断面図、図６は図１（Ａ）におけるVI-VI 線断面図、図７は図１（Ａ）におけるVII-VII 線断面図、図８は図１（Ａ）におけるVIII-VIII 線断面図であって、同図（Ａ）は支承部材によってカードを支承している状態を示し、同図（Ｂ）は支承部材による支承を解除した状態を示し、同図（Ｃ）はカードをカード収納部へ収納している状態を示している。
【００１２】
図１に全体を符号１で示すカード処理装置は、下方に非接触型ＩＣカード３（以下、単にカード３という）を収納するカード収納箱２を備えており、これらカード処理装置１およびカード収納箱２は、図示を省略した遊技台と遊技台との間の間隙である台間４に収納される。カード処理装置１は、図６に示すように後述するカード搬送路１０を形成する左側板５および右側板６と、左側板５の後端部に取り付けられた左カバー７と、右側板６の後端部に取り付けられた右カバー８とによって筺体が形成されている。左側板５と右側板６とはカード３の厚みよりもわずかに大きい間隔を有して互いに対向され、図２に示すように上下方向（矢印Ａ−Ｂ方向）に延在するカード搬送路１０を形成している。
【００１３】
このカード搬送路１０の前後方向（矢印Ｃ−Ｄ方向）の幅Ｌ１は、カード３の短辺３ａの全長Ｌ２よりもわずかに長く形成され、かつカード３の長辺３ｂの全長Ｌ３よりも短く形成されている。カード搬送路１０の上部の前面側（矢印Ｃ方向側）には、高さ方向の寸法Ｌ４がカード３の長辺３ｂの全長Ｌ３よりもわずかに長く形成されたカード挿入口８が設けられている。このカード挿入口８に対応して、左右の側板５，６には、指を差し入れるための側面視半円形の切欠き５ａ，６ａが設けられている。
【００１４】
図８において、１２は右カバー８に取り付けられた第１のソレノイドであって、進退自在なロッド１２ａには、中央部が軸１４を介して右側板６に回動自在に支持された逆Ｌ字状の支承部材１３の一端部が枢着されている。支承部材１３の他端部には支承部１３ａが折り曲げ形成されており、この支承部１３ａは右側板６のカード搬送路１０の下端に対応した部位に設けられた窓６ｃに臨んでいる。
【００１５】
このような構成において、ソレノイド１２のロッド１２ａが前進することにより、同図（Ａ）に示すように、支承部材１３が軸１４を回動中心として図中時計方向に回動するので、支承部１３ａが窓６ｃからカード搬送路１０内に進出する。したがって、後述するようにカード搬送路１０内を落下してきたカード３は、支承部１３ａによって支承される。一方、ソレノイド１２のロッド１２ａが後退することにより、同図（Ｂ）に示すように、支承部材１３が軸１４を回動中心として図中反時計方向に回動するので、支承部１３ａがカード搬送路１０から退出する。したがって、同図（Ｃ）に示すように支承部１３ａによって支承されていたカード３は下方に落下する。
【００１６】
図８において、１５は図示を省略したスリーブを介して右側板６に固定されたアンテナ基板であって、支承部材１３の支承部１３ａに支承されたカード３と非接触状態で通信を行い、カード３に記録されているデータの読み、書きを行うデータ処理手段として機能する。
【００１７】
カード搬送路１０の窓６ｃの矢印Ｃ方向には、図２に示すようにカード搬送路１０に連通するカード返却路１７が延設されており、このカード返却路１７の矢印Ｃ方向の端部には、高さ方向の寸法Ｌ５がカード３の短辺３ａの長さＬ１よりもわずかに長く形成されたカード排出口１８が設けられている。このカード排出口１８に対応して、左右の側板５，６には、指を差し入れるための側面視長方形の切欠き５ｂ，６ｂが設けられている。切欠き５ｂ，６ｂの矢印Ｄ方向の端部は、後述する係止部材１９の係止部１９ａから距離Ｌ６だけ矢印Ｃ方向へ離間した位置に位置付けられている。また、この距離Ｌ６は、カード３の長辺３ｂの全長Ｌ３よりも短く形成されている。
【００１８】
１９はカード返却路１７の底部に突設された係止部材であって、図３に示すように支承部材１３の支承部１３ａに支承されたカード３の長辺３ｂの下端部に対向する係止部１９ａが設けられており、上部にはカード排出口１８側（矢印Ｃ方向）に向かって下方に傾斜する傾斜面１９ｂが設けられている。この係止部材１９の係止部１９ａは、後述するように押圧部材２４の押圧部２４ａにカード３が押圧されるときにカード３の長辺３ｂの下端部に係止してカード３を反転させる機能と、カード搬送路１０内を落下してきたカード３が支承部１３ａに支承された状態を保持する機能とを有する。
【００１９】
図２および図６において、２０は左カバー７に固定された駆動手段としての第２のソレノイドであって、進退自在なロッド２０ａの先端部には、軸２１を介して左カバー７に揺動自在に支持されたレバー２２の下端部が枢着されている。レバー２２の上端部に設けた長孔には、左カバー７に設けた案内部材２３，２３によって矢印Ｃ−Ｄ方向に移動自在に支持された押圧部材２４の一端部が枢着されている。この押圧部材２４の他端部は、右側板６に矢印Ｃ−Ｄ方向に延在するように設けられた案内溝６ｄ内に臨んでいる。また、押圧部材２４の略中央部には、図３に示すように支承部材１３の支承部１３ａに支承されたカード３の矢印Ｄ方向の長辺３ｂの上端部を矢印Ｃ方向に押圧する押圧部２４ａが突設されている。
【００２０】
このような構成において、第２のソレノイド２０のロッド２０ａが前進することにより、レバー２２が軸２１を回動中心として図２中反時計方向に回動し、押圧部材２４が矢印Ｄ方向に移動するので、押圧部２４ａはカード搬送路１０から退避する。一方、第２のソレノイド２０のロッド２０ａが後退することにより、レバー２２が軸２１を回動中心として図４中時計方向に回動し、押圧部材２４が矢印Ｃ方向に移動するので、押圧部２４ａはカード搬送路１０内に進出する。
【００２１】
カード収納箱２の上部には、図８に示すように開口２ａが形成されており、内部に傾斜した底板２５が設けられている。このカード収納箱２は、開口２ａがカード搬送路１０の下方に位置付けられるように設けられている。
【００２２】
次に、このように構成されたカード処理装置において、カードの処理動作について説明する。予め、第１のソレノイド１２のロッド１２ａを前進させることにより、図８（Ａ）に示すように支承部材１３を軸１４を回動中心として時計方向に回動させ、支承部１３ａを窓６ｃからカード搬送路１０内に進出させておく。また、第２のソレノイド２０のロッド２０ａを前進させることにより、図２に示すようにレバー２２を軸２１を回動中心として反時計方向に回動させ、押圧部材２４を矢印Ｄ方向に移動させて押圧部２４ａをカード搬送路１０から退避させておく。
【００２３】
この状態で、カード３を把持し、図２に示すように長辺３ｂをカード挿入口８へ挿入し、把持を解除することにより、カード３をカード搬送路１０内に挿入する。カード搬送路１０の幅Ｌ１が、カード３の短辺３ａの全長Ｌ２よりもわずかに長く形成され、かつカード３の長辺３ｂの全長Ｌ３よりも短く形成されているため、カード３はカード挿入口８から挿入された姿勢のまま、すなわち短辺３ａ，３ａが上下方向を指向した状態で自重によってカード搬送路１０内を落下する。
【００２４】
カード搬送路１０内を落下してきたカード３は、図３に示すようにカード搬送路１０内に進出している支承部材１３の支承部１３ａに支承されることにより落下が停止する。このとき、カード３の矢印Ｃ方向の長辺３ｂの下端部が係止部材１９の係止部１９ａに対向するため、カード３は矢印Ｃ−Ｄ方向の移動が規制され支承部１３ａに支承された状態が保持される。
【００２５】
支承部１３ａに支承されたカード３は、アンテナ基板１５と非接触状態で通信が行われ、カード３に記録されているデータが書き換えられる。ここで、切欠き５ｂ，６ｂの矢印Ｄ方向の端部が係止部材１９の係止部１９ａから距離Ｌ６だけ矢印Ｃ方向へ離間した位置に位置付けられているため、データの書き換え中にカード３を故意または誤って取り出すことができない。データの書き換えが終了すると、第２のソレノイド２０のロッド２０ａが後退し、レバー２２が軸２１を回動中心として図３中時計方向に回動するので、押圧部材２４が矢印Ｃ方向に移動して押圧部２４ａがカード搬送路１０内に進出する。
【００２６】
カード搬送路１０内に進出した押圧部２４ａは、支承部１３ａに支承されたカード３の矢印Ｄ方向側の長辺３ｂの上端部を矢印Ｃ方向に押圧する。この押圧により、カード３全体が支承部１３ａ上を矢印Ｃ方向にわずかに移動し、カード３の矢印Ｃ方向の長辺３ｂの下端部が係止部材１９の係止部１９ａに係止される。さらに、押圧部２４ａがカード３の矢印Ｄ方向側の長辺３ｂの上端部を矢印Ｃ方向に押圧するため、カード３は係止部材１９の係止部１９ａに係止された長辺３ｂの下端部を反転中心として、図４に示すように時計方向に９０°だけ反転し、長辺３ｂが係止部材１９の傾斜面１９ｂ上に載置されるように転倒する。
【００２７】
傾斜面１９ｂがカード排出口１８側（矢印Ｃ方向）に向かって下方に傾斜しているため、長辺３ｂがこの傾斜面１９ｂに沿って滑落することにより、傾斜面１９ｂ上に転倒したカード３はカード排出口１８側（矢印Ｃ方向）に向かって確実に移動する。ここで、切欠き５ｂ，６ｂの矢印Ｄ方向の端部と係止部材１９の係止部１９ａとの距離Ｌ６が、カード３の長辺３ｂの全長Ｌ３よりも短く形成されているから、カード３の短辺３ａが左右の側板５，６の切欠き５ｂ，６ｂに確実に臨む。したがって、この切欠き５ｂ，６ｂに指を差し入れることにより、カード排出口１８からカード３を取り出すことができる。
【００２８】
ここで、支承部材１３の支承部１３ａに支承されたカード３に記録されたデータをアンテナ基板１５によって読み取った結果、記録されたデータが「ゼロ」となる、いわゆる使用済みカードであったり、記録されているデータが読み取れない使用不能カード等の場合には、カード排出口１８からカード３を排出することなく、カード収納箱２内に収納する。すなわち、第１のソレノイド１２のロッド１２ａを後退させ、図８（Ｂ）に示すように支承部材１３を軸１４を回動中心として反時計方向に回動させることにより、支承部１３ａをカード搬送路１０から退避させ、同図（Ｃ）に示すようにカード３をカード収納箱２内に収納する。
【００２９】
このように、カード挿入口８から挿入されたカード３は自重によってアンテナ基板１５によって処理される位置まで落下するため、カード３を搬送させるための搬送手段が不要になる。また、アンテナ基板１５による処理が終了したカード３をカード挿入口８へ戻すためのカード返却用付勢手段やこれを作動させるための部材も不要になる。さらに、データ処理後にカード３を排出する際は、カードを９０°反転させることにより、短辺３ａ側をカード排出口１８に臨ませるようにしたので、データの処理中は、カード排出口１８からカード３までの距離を長くすることができる。このため、データ処理中にカード排出口１８からカード３が抜き取られることがないから、カード３の抜き取りを規制するシャッタが不要になる。したがって、部品点数を削減することができ、構造も簡素化することができる。
【図面の簡単な説明】
【００３０】
【図１】本発明に係るカード処理装置を示し、同図（Ａ）は側面図、同図（Ｂ）は正面図である。
【図２】図１（Ｂ）におけるII-II 線断面図であって、カード挿入口からカードを挿入した直後の状態を示している。
【図３】図１（Ｂ）におけるII-II 線断面図であって、カードをデータ処理手段によって処理している状態を示している。
【図４】図１（Ｂ）におけるII-II 線断面図であって、カードを返却している状態を示している。
【図５】図１（Ａ）におけるV-V 線断面図である。
【図６】図１（Ａ）におけるVI-VI 線断面図である。
【図７】図１（Ａ）におけるVII-VII 線断面図である。
【図８】図１（Ａ）におけるVIII-VIII 線断面図であって、同図（Ａ）は支承部材によってカードを支承している状態を示し、同図（Ｂ）は支承部材による支承を解除した状態を示し、同図（Ｃ）はカードをカード収納部へ収納している状態を示している。
【符号の説明】
【００３１】
１…カード処理装置、２…カード収納箱、３…非接触型ＩＣカード（カード）、３ａ…短辺、３ｂ…長辺、８…カード挿入口、１０…カード搬送路、１２…第１のソレノイド、１３…支承部材、１３ａ…支承部、１５…アンテナ基板、１７…カード返却路、１８…カード排出口、１９…係止部材、１９ａ…係止部、１９ｂ…傾斜面、２０…第２のソレノイド、２４…押圧部材、２４ａ…押圧部。
【図１】
2010073131.tif 000003
【図２】
2010073131.tif 000004
【図３】
2010073131.tif 000005
【図４】
2010073131.tif 000006
【図５】
2010073131.tif 000007
【図６】
2010073131.tif 000008
【図７】
2010073131.tif 000009
【図８】
2010073131.tif 000010